(57)【要約】【課題】大便に起因した、おむつ全体の取り替えを、できるだけ少なくする。【解決手段】袋口９に備えられた粘着部１０をもって大便を漏洩なく受容する状態で着用者Ｍの肛門Ｍａを取り巻く皮膚面に前記袋口９を取り付け可能に構成された袋体Ｐと、おむつ外面２とおむつ内面３との間に前記袋体Ｐの収納空間１を有すると共に、おむつ内面３であっておむつ着用者Ｍの略股下に配される部分に前記収納空間１に連通した前記袋体Ｐの出し入れ開口部５を備えたおむつ本体Ｄとを有する。前記開口部５から前記袋体Ｐの袋口９側をおむつ内側に位置させた状態でこの袋体Ｐのその余の部分を前記収納空間１に収納させてなる。【選択図】図1
2014226308.tif 000002
【特許請求の範囲】
【請求項１】
袋口に備えられた粘着部をもって大便を漏洩なく受容する状態で着用者の肛門を取り巻く皮膚面に前記袋口を取り付け可能に構成された袋体と、
おむつ外面とおむつ内面との間に前記袋体の収納空間を有すると共に、おむつ内面であっておむつ着用者の略股下に配される部分に前記収納空間に連通した前記袋体の出し入れ開口部を備えたおむつ本体とを有し、
前記開口部から前記袋体の袋口側をおむつ内側に位置させた状態でこの袋体のその余の部分を前記収納空間に収納させてなることを特徴とするおむつ。
【請求項２】
収納空間が、おむつ本体における前後の身ごろ部分のうちの一方の内部に形成されていることを特徴とする請求項１に記載のおむつ。
【発明の詳細な説明】
【技術分野】
【０００１】
この発明は、おむつの改良、より詳細には、おむつを着用した状態で大便を排泄しても、おむつの主体となるおむつ本体の取り替えを直ちには要しないようにしたおむつに関する。
【背景技術】
【０００２】
おむつ着用した状態で排泄された大便を受容する袋を備えてなるおむつとして、特許文献１及び２に示されるものがある。
【０００３】
これら従来のおむつは、大便を前記袋に受容させることで、おむつの取り替えまでの着用者の不快感を軽減し、また、おむつの取り替えを容易とするものではある。
【０００４】
しかるに、これら従来のおむつは、おむつ着用した状態で大便が排泄された場合には、大便を遺漏なく前記袋に受容させる保証はないものであり、また、取り替え時には常におむつ全体の取り替えを要させるものであった。
【０００５】
近年は、使い捨ておむつ（紙おむつ）が普及しているが、特に大人用のものはその大きさなどに起因して低廉に供給し難い。大便の排泄のたびにこの種のおむつ全体の取り替えを余儀なくされることは、介護コストの低廉化を妨げる要因ともなる。
【先行技術文献】
【特許文献】
【０００６】
【特許文献１】実用新案登録第３０８０４９４号公報
【特許文献２】特開２０１０−１１０３４９号公報
【発明の概要】
【発明が解決しようとする課題】
【０００７】
この発明が解決しようとする主たる問題点は、大便に起因した、おむつ全体の取り替えを、できるだけ少なくする点にある。
【課題を解決するための手段】
【０００８】
前記課題を達成するために、この発明にあっては、おむつを、袋口に備えられた粘着部をもって大便を漏洩なく受容する状態で着用者の肛門を取り巻く皮膚面に前記袋口を取り付け可能に構成された袋体と、
おむつ外面とおむつ内面との間に前記袋体の収納空間を有すると共に、おむつ内面であっておむつ着用者の略股下に配される部分に前記収納空間に連通した前記袋体の出し入れ開口部を備えたおむつ本体とを有し、
前記開口部から前記袋体の袋口側をおむつ内側に位置させた状態でこの袋体のその余の部分を前記収納空間に収納させてなるものとした。
【０００９】
かかるおむつは、前記おむつ本体の収納空間に前記その余の部分を収納された袋体の袋口を着用者の肛門を取り巻く皮膚面に取り付けた状態で着用させることができる。これにより、おむつを着用した状態で大便を排泄したとき、前記袋体に大便を遺漏なく受容させることができ、かかる袋体の交換によっておむつ本体の取り替えを直ちには要しないようにすることができる。前記収納空間はおむつ本体における前後の身ごろ部分のうちの一方の内部に形成させとくことが好ましい態様の一つである。このようにした場合、かかる収納空間の形成側の身ごろ部分が着用者の腰部の腹側を覆うようにおむつを着用させることで、着用者が仰向けに寝ている場合に排泄された大便の受容を妨げるようにおむつ本体内で袋体が着用者の体重によって押しつぶされないようにすることができ、排泄された大便の袋体へのスムースな受容が可能とされる。
【発明の効果】
【００１０】
この発明によれば、おむつを着用した状態で排泄された大便をおむつ本体を汚さないようにおむつ本体と分離可能にこのおむつ本体に組み合わされた袋体に受容させることができ、かかる大便に起因した、おむつ全体の取り替えを、できるだけ少なくすることができる。
【図面の簡単な説明】
【００１１】
【図１】図１はこの発明の一実施の形態にかかるおむつをそのおむつ内面側から見た平面構成図である。
【図２】図２は図１におけるＡ−Ａ線位置での断面構成図である。
【図３】図３は図１のおむつを構成する袋体の斜視構成図である。
【図４】図４は図３の袋体の袋口を着用者の肛門を巡る皮膚面に取り付けた様子を示した断面構成図である。
【発明を実施するための形態】
【００１２】
以下、図１〜図４に基づいて、この発明の典型的な実施の形態について、説明する。この実施の形態にかかるおむつは、おむつを着用した状態で大便を排泄しても、おむつの主体となるおむつ本体Ｄの取り替えを直ちには要しないようにしたものである。すなわち、この実施の形態にかかるおむつは、大便に起因した、おむつの取り替えを、できるだけ少なくするものである。
【００１３】
この実施の形態にかかるおむつは、おむつの主体となるおむつ本体Ｄと、このおむつ本体Ｄと分離可能に組み合わされておむつを構成する袋体Ｐとを備えてなる。おむつを着用した状態で大便を排泄したとき、この袋体Ｐが大便を受容するようになっている。これにより、おむつを着用した状態で大便を排泄したとき、大便を受容した袋体Ｐを交換することで、おむつ本体Ｄの取り替えを直ちには要しないようにしている。すなわち、おむつ本体Ｄは、前記袋体Ｐの収納空間１を有している。典型的には、一つのおむつ本体Ｄに、これに組み合わされる袋体Ｐを二以上同梱して、おむつとして提供する。
【００１４】
前記袋体Ｐは、袋口９に備えられた粘着部１０をもって大便を漏洩なく受容する状態で着用者Ｍの肛門Ｍａを取り巻く皮膚面に前記袋口９を取り付け可能に構成されている。かかる袋体Ｐは、受容した大便を漏れ出さない構成のものであれば足りる。かかる袋体Ｐは、典型的には、公知の防水材製のシートやマット、公知の吸水材製のシートやマット、こうした吸水材の表面を防水材で覆ってなるシートやマットなどを袋状に成形することにより構成される。
【００１５】
図示の例では、袋体Ｐは、一枚のシート１１を二つ折りにすると共に、折られて重ね合わされたこのシート１１の表面部の右側の縁部と裏面部の右側の縁部、及び、表面部の左側の縁部と裏面部の左側の縁部をそれぞれ止着させ合わせることで、前記折った側１１ａと反対の側を袋口９としてなる。（図３）
【００１６】
図示の例では、前記袋体Ｐの袋口９は、これより内径を小さくするリング状体１２によって縁取られている。かかるリング状体１２は、円形板体に円形の貫通孔を形成させてなる。そして、前記袋体Ｐはその袋口９側をすぼめられて、この袋口９をリング状体１２の一面に止着させており、これにより袋体Ｐの袋口９は、前記リング状体１２によって縁取られている。図示の例では、かかるリング状体１２の他面が粘着剤よって覆われた粘着部１０となっており、さらに、この粘着部１０は剥離シート１３で覆われている。また、かかるリング状体１２は、その内側に着用者Ｍの肛門Ｍａを納める大きさとなっている。これにより、図示の例では、かかる剥離シート１３を剥がして前記粘着部１０を露出させた状態で、前記リング状体１２の内側に着用者Ｍの肛門Ｍａが位置されるように前記粘着部１０を前記皮膚面に粘着させることで、かかるリング状体１２を介してかかる袋体Ｐの袋口９を着用者Ｍの肛門Ｍａを取り巻く皮膚面に大便を漏洩させない状態で取り付け可能としている。（図４）
【００１７】
一方、前記おむつ本体Ｄは、おむつ外面２とおむつ内面３との間に前記袋体Ｐの収納空間１を有すると共に、おむつ内面３であっておむつ着用者Ｍの略股下に配される部分に前記収納空間１に連通した前記袋体Ｐの出し入れ開口部５を備えた構成となっている。かかるおむつ本体Ｄは、前記収納空間１と前記開口部５を備えた構成のものであれば足りる。
【００１８】
図示の例では、おむつ本体Ｄは、使い捨ておむつの、テープタイプのものとなっている。図示の例では、おむつ本体Ｄは、おむつ着用者Ｍの略股下に配される部分（以下、この部分を股下部分４と称する。）と、この部分を挟んだ前後にそれぞれ身ごろ部分６を備えている。かかるおむつ本体Ｄは、基本的には、おむつ外面２を構成する表面材と、おむつ内面３を構成する表面材との間に、公知の吸収材を介装させてなる。図１中、符号７で示されるのは、おむつ本体Ｄにおいて特に伸縮可能に加工された伸縮可能部である。また、図示の例では、図１において股下部分４を挟んだ上側に位置される身ごろ部分６の左右にそれぞれテープ８が設けられている。かかるおむつ本体Ｄは、前記股下部分４を着用者Ｍの股下にあてがった状態から、典型的には、図１の上側に位置される身ごろ部分６が着用者Ｍの腰部の背側を覆い、かつ、図１の下側に位置される身ごろ部分６が着用者Ｍの腰部の腹側を覆うようにした上で、後者の身ごろ部分６のおむつ外面２に設けた前記テープ８の被係合部（図示は省略する。）に前記テープ８を係合させることにより、着用させることができるようになっている。
【００１９】
また、前記収納空間１は、おむつ本体Ｄにおける前後の身ごろ部分６のうちの一方の内部に形成されている。図示の例では、図１において股下部分４を挟んだ下側に位置される身ごろ部分６の内部に形成されている。図示の例では、かかる収納空間１は、おむつ外面２を構成する表面材とおむつ内面３を構成する表面材との間に、形成されている。（図２）
【００２０】
前記開口部５は、図示の例では、おむつ本体Ｄの股下部分４を構成するおむつ内面３を構成する表面材に形成された、左右方向に長いスロットにより構成されている。（図１）
【００２１】
そして、この実施の形態にかかるおむつは、前記おむつ本体Ｄの前記開口部５から前記袋体Ｐの袋口９側をおむつ内側に位置させた状態でこの袋体Ｐのその余の部分を前記収納空間１に収納させてなる。（図１）
【００２２】
この実施の形態にかかるおむつは、前記のようにおむつ本体Ｄの収納空間１にその余の部分を収納された袋体Ｐの袋口９を着用者Ｍの肛門Ｍａを取り巻く皮膚面に取り付けた状態で着用させることができる。これにより、おむつを着用した状態で大便を排泄したとき、前記袋体Ｐに大便を遺漏なく受容させることができ、かかる袋体Ｐの交換によっておむつ本体Ｄの取り替えを直ちには要しないようにすることができる。前記収納空間１はおむつ本体Ｄにおける前後の身ごろ部分６のうちの一方の内部に形成されていることから、この収納空間１の形成側の身ごろ部分６が着用者Ｍの腰部の腹側を覆うようにおむつを着用させることで、着用者Ｍが仰向けに寝ている場合に排泄された大便の受容を妨げるようにおむつ本体Ｄ内で袋体Ｐが着用者Ｍの体重によって押しつぶされないようにすることができ、排泄された大便の袋体Ｐへのスムースな受容が可能とされる。
【符号の説明】
【００２３】
１  収納空間
２  おむつ外面
３  おむつ内面
５  開口部
９  袋口
１０  粘着部
Ｐ  袋体
Ｄ  おむつ本体
Ｍ  着用者
【図１】
2014226308.tif 000003
【図２】
2014226308.tif 000004
【図３】
2014226308.tif 000005
【図４】
2014226308.tif 000006